(57)【要約】【課題】ユーザーが画質調整モードを選択しなくても、周囲の明るさに応じた適切な画質で画像を鑑賞することが可能なプロジェクター及びその制御方法を提供する。【解決手段】制御部は、照度センサーに照度を検出させて検出結果を取得した後、この検出結果に基づいて、対応テーブルＴａから画質調整モードを選定する。対応テーブルＴａでは、照度が４つの照度範囲に区分され、それぞれの照度範囲に１つの画質調整モードが対応付けられている。具体的には、第１の照度範囲（４０ルクス未満）には「シアター」、第２の照度範囲（４０ルクス以上、２００ルクス未満）には「リビング」、第３の照度範囲（２００ルクス以上、１０００ルクス未満）には「プレゼンテーション」、第４の照度範囲（１０００ルクス以上）には「ダイナミック」が対応付けられている。そして、制御部は、照度センサーによって検出された照度の照度範囲に対応する画質調整モードを選定する。【選択図】図５
2010243870.tif 000002
【特許請求の範囲】
【請求項１】
画像情報が入力される画像情報入力部と、
周囲の明るさを検出する光検出部と、
前記光検出部の検出結果に基づいて、画質を調整するための画質調整モードを選定するモード決定部と、
前記モード決定部で選定された画質調整モードに基づいて、前記画像情報に画質調整を施す画質調整部と、
前記画質調整が施された前記画像情報に基づく画像を投写する画像投写部と、
を備えたことを特徴とするプロジェクター。
【請求項２】
請求項１に記載のプロジェクターであって、
前記光検出部は、前記画像が投写される方向以外の方向の明るさを検出する第１の光検出部と、前記画像が投写される方向の明るさを検出する第２の光検出部とを備え、
前記モード決定部は、前記第１及び第２の光検出部の検出結果に基づいて前記画質調整モードを選定することを特徴とするプロジェクター。
【請求項３】
請求項１又は２に記載のプロジェクターであって、
前記画像が投写される投写面の色を検出する色検出部をさらに備え、
前記モード決定部は、前記光検出部の検出結果と、前記色検出部の検出結果とに基づいて前記画質調整モードを選定することを特徴とするプロジェクター。
【請求項４】
請求項１〜３のいずれか１項に記載のプロジェクターであって、
前記モード決定部は、前記光検出部の検出結果に基づいて複数の画質調整モードを抽出した後で、抽出された前記複数の画質調整モードの中から所望の画質調整モードを選択させることを特徴とするプロジェクター。
【請求項５】
請求項１〜３のいずれか１項に記載のプロジェクターであって、
前記モード決定部は、前記光検出部の検出結果に基づいて複数の画質調整モードを抽出した後で、抽出された前記複数の画質調整モードのうち、使用頻度の高い画質調整モードを選定することを特徴とするプロジェクター。
【請求項６】
請求項１〜３のいずれか１項に記載のプロジェクターであって、
前記モード決定部は、前記光検出部の検出結果に基づいて複数の画質調整モードを抽出した後で、抽出された前記複数の画質調整モードのうち、最後に使用された画質調整モードを選定することを特徴とするプロジェクター。
【請求項７】
請求項１〜３のいずれか１項に記載のプロジェクターであって、
前記モード決定部により複数の画質調整モードが抽出された場合に、その中から１つを選択する方法を設定する選択方法設定部をさらに備え、
前記モード決定部は、前記複数の画質調整モードを候補として抽出した後で、前記選択方法設定部で設定された方法に従って前記画質調整モードを選定することを特徴とするプロジェクター。
【請求項８】
入力される画像情報に基づく画像を投写するプロジェクターの制御方法であって、
周囲の明るさを検出する光検出ステップと、
前記光検出ステップでの検出結果に基づいて、画質を調整するための画質調整モードを選定するモード決定ステップと、
前記モード決定ステップで選定された画質調整モードに基づいて、前記画像情報に画質調整を施す画質調整ステップと、
を備えたことを特徴とするプロジェクターの制御方法。
【発明の詳細な説明】
【技術分野】
【０００１】
本発明は、入力される画像情報に基づく画像を投写するプロジェクター及びその制御方法に関する。
【背景技術】
【０００２】
入力される画像情報に基づく画像を投写するプロジェクターにおいて、投写する画像の画質を視聴環境等に応じて調整することが可能なプロジェクターが知られている（例えば、特許文献１参照）。このプロジェクターを用いれば、例えば、明るい環境下で画像を鑑賞する際には、明るさやコントラストを強調するような画質調整を施すことにより、明るい環境下でも視認性に優れた画像を鑑賞することが可能となる。一方、暗い環境下で映画等を鑑賞する際には、明るさやコントラストよりも色の再現性を重視した画質調整を施すことにより、映画館で映画を観るように、自然な色合いで画像を鑑賞することができる。ユーザーは、リモコン等を操作して、複数の画質調整モード（カラーモード）の中から、適用すべき画質調整モードを視聴環境等に応じて設定することができる。
【先行技術文献】
【特許文献】
【０００３】
【特許文献１】特開２００７−７４３４７号公報
【発明の概要】
【発明が解決しようとする課題】
【０００４】
しかしながら、プロジェクターを使用するユーザーの中には、視聴環境等に応じて画質調整モードを変更すべきであることを知らなかったり、或いは、どの画質調整モードが現在の視聴環境に適するのかを知らなかったりするユーザーが少なからず存在する。このようなユーザーは、初期設定（デフォルト）の画質調整モードのままで使い続けたり、不適切な画質調整モードに設定したりするため、適切ではない画質で画像を鑑賞していることになる。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、画像情報が入力される画像情報入力部と、周囲の明るさを検出する光検出部と、前記光検出部の検出結果に基づいて、画質を調整するための画質調整モードを選定するモード決定部と、前記モード決定部で選定された画質調整モードに基づいて、前記画像情報に画質調整を施す画質調整部と、前記画質調整が施された前記画像情報に基づく画像を投写する画像投写部と、を備えたことを特徴とする。
【０００７】
このプロジェクターによれば、光検出部が検出した周囲の明るさに基づいて、モード決定部が画質調整モードを選定し、選定された画質調整モードに基づいて、画質調整部が画像情報に画質調整を施すため、ユーザーが自ら画質調整モードを選択しなくても、周囲の明るさに応じた適切な画質で画像を鑑賞することが可能となる。
【０００８】
［適用例２］上記適用例に係るプロジェクターにおいて、前記光検出部は、前記画像が投写される方向以外の方向の明るさを検出する第１の光検出部と、前記画像が投写される方向の明るさを検出する第２の光検出部とを備え、前記モード決定部は、前記第１及び第２の光検出部の検出結果に基づいて前記画質調整モードを選定することが望ましい。
【０００９】
このプロジェクターによれば、投写方向以外の方向の明るさと、投写方向の明るさとを第１及び第２の光検出部によってそれぞれ検出し、その双方の明るさに基づいて画質調整モードを選定するため、より周囲の状況に適した画質で画像を鑑賞することが可能となる。
【００１０】
［適用例３］上記適用例に係るプロジェクターにおいて、前記画像が投写される投写面の色を検出する色検出部をさらに備え、前記モード決定部は、前記光検出部の検出結果と、前記色検出部の検出結果とに基づいて前記画質調整モードを選定することが望ましい。
【００１１】
このプロジェクターによれば、光検出部の検出結果に加えて、色検出部の検出結果（投写面の色）に基づいて画質調整モードを選定するため、投写面の色に応じた適切な画質で画像を鑑賞することが可能となる。
【００１２】
［適用例４］上記適用例に係るプロジェクターにおいて、前記モード決定部は、前記光検出部の検出結果に基づいて複数の画質調整モードを抽出した後で、抽出された前記複数の画質調整モードの中から所望の画質調整モードを選択させるようにしてもよい。
【００１３】
このプロジェクターによれば、光検出部の検出結果に基づいて抽出された複数の画質調整モードの中から所望の画質調整モードを選択させる構成であるため、望まない画質調整モードが選定されてしまうことがなくなる。
【００１４】
［適用例５］上記適用例に係るプロジェクターにおいて、前記モード決定部は、前記光検出部の検出結果に基づいて複数の画質調整モードを抽出した後で、抽出された前記複数の画質調整モードのうち、使用頻度の高い画質調整モードを選定するようにしてもよい。
【００１５】
このプロジェクターによれば、光検出部の検出結果に基づいて抽出された複数の画質調整モードのうち、使用頻度の高い画質調整モードを選定するため、ユーザーが自ら選択することなく、ユーザーの好みを加味した選定を行うことが可能となる。
【００１６】
［適用例６］上記適用例に係るプロジェクターにおいて、前記モード決定部は、前記光検出部の検出結果に基づいて複数の画質調整モードを抽出した後で、抽出された前記複数の画質調整モードのうち、最後に使用された画質調整モードを選定するようにしてもよい。
【００１７】
このプロジェクターによれば、光検出部の検出結果に基づいて抽出された複数の画質調整モードのうち、最後に使用された画質調整モードを選定するため、ユーザーが自ら選択することなく、最近の使用状況を加味した選定を行うことが可能となる。
【００１８】
［適用例７］上記適用例に係るプロジェクターにおいて、前記モード決定部により複数の画質調整モードが抽出された場合に、その中から１つを選択する方法を設定する選択方法設定部をさらに備え、前記モード決定部は、前記複数の画質調整モードを候補として抽出した後で、前記選択方法設定部で設定された方法に従って前記画質調整モードを選定するようにしてもよい。
【００１９】
このプロジェクターによれば、複数の画質調整モードから１つを選択する方法を設定する選択方法設定部を備えており、モード決定部は、選択方法設定部で設定された方法に従って画質調整モードを選定するため、好みに応じた方法で画質調整モードを選定することが可能となる。
【００２０】
［適用例８］本適用例に係るプロジェクターの制御方法は、入力される画像情報に基づく画像を投写するプロジェクターの制御方法であって、周囲の明るさを検出する光検出ステップと、前記光検出ステップでの検出結果に基づいて、画質を調整するための画質調整モードを選定するモード決定ステップと、前記モード決定ステップで選定された画質調整モードに基づいて、前記画像情報に画質調整を施す画質調整ステップと、を備えたことを特徴とする。
【００２１】
このプロジェクターの制御方法によれば、光検出ステップで検出した周囲の明るさに基づいて、モード決定ステップで画質調整モードが選定され、さらに、選定された画質調整モードに基づいて、画質調整ステップで画像情報に画質調整が施されるため、ユーザーが自ら画質調整モードを選択しなくても、周囲の明るさに応じた適切な画質で画像を鑑賞することが可能となる。
【００２２】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクターの内部記憶装置（ＲＡＭやＲＯＭ等のメモリー）、及び外部記憶装置等、前記コンピューターが読み取り可能な種々の媒体を利用することができる。
【図面の簡単な説明】
【００２３】
【図１】第１実施形態のプロジェクターを示す斜視図であり、（ａ）は、プロジェクターを前面側から見た図、（ｂ）は、プロジェクターを背面側から見た図。
【図２】第１実施形態のプロジェクターの概略構成を示すブロック図。
【図３】第１実施形態のモード設定メニューを示す説明図。
【図４】第１実施形態のモード選定処理を説明するためのフローチャート。
【図５】第１実施形態の対応テーブルを説明するための説明図。
【図６】照度の変化に追従した画質調整モードの切り替えを説明するためのフローチャート。
【図７】第２実施形態のモード設定メニューを示す説明図。
【図８】第２実施形態の対応テーブルを説明するための説明図。
【図９】第２実施形態のモード選定処理を説明するためのフローチャート。
【図１０】選択方法指定メニューを示す説明図。
【図１１】モード選択メニューを示す説明図。
【図１２】第２実施形態の履歴情報を説明するための説明図。
【図１３】第３実施形態のプロジェクターを示す斜視図。
【図１４】第３実施形態のプロジェクターの概略構成を示すブロック図。
【図１５】第３実施形態の対応テーブルを説明するための説明図。
【図１６】第４実施形態のプロジェクターの概略構成を示すブロック図。
【図１７】第４実施形態のモード設定メニューを示す説明図。
【図１８】第４実施形態の対応テーブルを説明するための説明図。
【図１９】第４実施形態の履歴情報を説明するための説明図。
【発明を実施するための形態】
【００２４】
（第１実施形態）
以下、第１実施形態のプロジェクターについて、図面を参照して説明する。
図１（ａ）、（ｂ）は、本実施形態のプロジェクターを示す斜視図であり、（ａ）は、プロジェクターを前面側から見た図、（ｂ）は、プロジェクターを背面側から見た図である。
【００２５】
図１（ａ）、（ｂ）に示すように、本実施形態のプロジェクター１は、筐体２で覆われた構成を有しており、筐体２の前面２ｆには、前方に向けて画像を投写する投写レンズ１３が露出している。筐体２の背面２ｂには、接続端子３０ａが配置されており、接続端子３０ａには、外部の画像出力装置（例えば、パーソナルコンピューター）１００がケーブルを介して接続される。プロジェクター１は、この画像出力装置１００から入力される画像情報に基づく画像（以降、「入力画像」という。）Ｇｉを、投写レンズ１３からスクリーン等の投写面Ｓに投写する。また、筐体２の上面２ｔには、ユーザーにより入力操作が行われる入力操作部２２と、周囲の明るさを検出する照度センサー２３が配置されている。
【００２６】
図２は、プロジェクター１の概略構成を示すブロック図である。
図２に示すように、プロジェクター１は、画像投写部１０、制御部２０、記憶部２１、入力操作部２２、照度センサー２３、画像情報入力部３０、スケーラー３１、ＯＳＤ処理部３２、画質調整部３３等で構成されている。
【００２７】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３によって拡大投写される。
【００３０】
制御部２０は、ＣＰＵ（Central Processing Unit）や、各種データ等の一時記憶に用いられるＲＡＭ（Random Access Memory）、制御プログラム等を記憶するＲＯＭ（Read Only Memory）等（いずれも図示せず）を備え、ＣＰＵがＲＯＭに記憶されている制御プログラムに従って動作することによりプロジェクター１の動作を統括制御する。つまり、制御部２０は、コンピューターとして機能する。
【００３１】
記憶部２１は、フラッシュメモリーやＦｅＲＡＭ（Ferroelectric RAM：強誘電体メモリー）等、書き替えが可能な不揮発性のメモリーにより構成されており、プロジェクター１の動作条件等を規定する各種設定データ等が記憶される。
【００３２】
入力操作部２２は、ユーザーからの入力操作を受け付けるものであり、プロジェクター１に対して各種指示を行うための複数の操作キーを備えている。入力操作部２２が備える操作キーとしては、電源のオン・オフを切り替えるための「電源キー」、各種設定を行うためのメニュー画像（図示しないメインメニュー）を表示させる「メニューキー」、メニュー画像等において項目の選択等に用いられる「方向キー」（上下左右に対応する４つのキー）、メニュー画像等で選択された項目を確定させる「決定キー」、後述する画質調整モードを設定するための「モード設定キー」等がある。ユーザーが入力操作部２２の各種操作キーを操作すると、入力操作部２２は、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しない受信部がこれを受信して制御部２０に伝達する。
【００３３】
照度センサー２３は、光検出部に相当するものであり、制御部２０の指示に基づいてプロジェクター１の周囲の明るさ（照度）を検出し、検出結果を制御部２０に出力する。なお、投写レンズ１３から投写される光（画像）による影響を抑制するために、照度センサー２３は、プロジェクター１の前方（投写方向）以外の方向の明るさを検出することが望ましく、本実施形態では、プロジェクター１の上方の明るさを検出するようになっている。
【００３４】
画像情報入力部３０には、パーソナルコンピューターやＤＶＤ（Digital Versatile Disc）再生装置等、外部の画像出力装置１００とケーブルを介した接続を行うための接続端子３０ａ（図１（ｂ）参照）が備えられており、画像出力装置１００から各種形式の画像情報（画像信号）が入力される。画像情報入力部３０は、接続端子３０ａに入力された画像情報を、デジタルの画像情報に変換してスケーラー３１に出力する。
【００３５】
スケーラー３１は、画像情報入力部３０から入力される画像情報の解像度（画素数）を、液晶ライトバルブ１２Ｒ，１２Ｇ，１２Ｂの解像度（画素数）に合わせるための処理を行って、液晶ライトバルブ１２Ｒ，１２Ｇ，１２Ｂのすべての画素に対応する複数の画素値からなる画像情報に変換する。画素値とは、対応する画素の光透過率を定めるものであり、この画素値によって、各画素から射出する光の強弱（階調）が規定される。スケーラー３１は、変換後の画像情報をＯＳＤ処理部３２に出力する。
【００３６】
ＯＳＤ処理部３２は、制御部２０の指示に基づいて、メニュー画像やメッセージ画像等のＯＳＤ（On Screen Display）画像を、入力画像Ｇｉに重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部３２は、必要なＯＳＤ画像情報をＯＳＤメモリーから読み出し、入力画像Ｇｉ上の所定の位置にＯＳＤ画像が重畳されるように、スケーラー３１から入力される画像情報にこのＯＳＤ画像情報を合成する。ＯＳＤ画像情報が合成された画像情報は、画質調整部３３に出力される。なお、制御部２０からＯＳＤ画像を重畳する旨の指示がない場合には、ＯＳＤ処理部３２は、スケーラー３１から入力される画像情報を、そのまま画質調整部３３に出力する。
【００３７】
画質調整部３３は、制御部２０の指示に基づいて、ＯＳＤ処理部３２から入力される画像情報に、画質を調整するための処理を施し、処理後の画像情報をライトバルブ駆動部１４に出力する。ユーザーは、入力操作部２２に備わるモード設定キーを操作することにより、複数の画質調整モードの中から所望の１つを選択して設定することが可能になっており、画質調整部３３は、設定された画質調整モードに応じた画質調整処理を実施する。画質調整部３３の詳細については後述する。
【００３８】
ライトバルブ駆動部１４が、画質調整部３３から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（入力画像Ｇｉ）を形成し、この入力画像Ｇｉが投写レンズ１３から投写される。
【００３９】
プロジェクター１が入力画像Ｇｉを投写している状態で、入力操作部２２に備わるモード設定キーがユーザーにより操作されると、制御部２０は、ＯＳＤ処理部３２に指示をして、画質調整モードを設定するためのモード設定メニューＧｃ（図３参照）を入力画像Ｇｉ上に重畳して表示させる。なお、モード設定メニューＧｃをメインメニューから呼び出させるようにしてよい。例えば、メニューキーが操作されてメインメニューが表示された後に所定の操作がなされた場合に、モード設定メニューＧｃを重畳表示させるようにすればよい。
【００４０】
図３に示すように、モード設定メニューＧｃには、選択可能な複数の画質調整モードが列記されている。具体的には、モード設定メニューＧｃには、上から順に、明るい部屋での使用に適した「ダイナミック」、プレゼンテーションに適した「プレゼンテーション」、薄暗い環境下での使用に適した「リビング」、暗い環境下で映画等を鑑賞するのに適した「シアター」の４つの画質調整モードと、周囲の明るさに応じて画質調整モードを自動的に決定する「オート」の合計５項目が表記されている。ユーザーは、入力操作部２２の方向キーを操作することにより、所望の項目（画質調整モード又は「オート」）を選択することが可能であり、選択後に決定キーを操作することにより項目の選択が完了する。
【００４１】
制御部２０は、「オート」以外、即ち４つの画質調整モードのいずれかがユーザーにより選択されると、ＯＳＤ処理部３２に指示をしてモード設定メニューＧｃの重畳を終了させるとともに、選択された画質調整モードを画質調整部３３に通知し、ＯＳＤ処理部３２から入力される画像情報に対して、この画質調整モードに応じた画質調整を施させる。図示は省略しているが、画質調整部３３には、各画質調整モードに対応する複数のＬＵＴ（Look Up Table）が備えられており、画質調整モードが選択されると、画質調整部３３は、選択された画質調整モードに対応するＬＵＴを有効にする。そして、それ以降、ＯＳＤ処理部３２から入力される画像情報に対して、有効なＬＵＴを用いて画素値の変換を行うことにより画質調整を施す。
【００４２】
一方、モード設定メニューＧｃでユーザーにより「オート」が選択された場合には、制御部２０は、以下のモード選定処理を実行して、上記の４つの画質調整モードの中から周囲の明るさに応じた画質調整モードを選定する。
【００４３】
図４は、モード選定処理を説明するためのフローチャートである。また、図５は、記憶部２１に記憶されている対応テーブルを説明するための説明図であり、照度センサー２３によって検出される照度と画質調整モードとの対応付けを表している。モード設定メニューＧｃでユーザーにより「オート」が選択されると、制御部２０は、図４に示すフローに従って動作する。
【００４４】
図４に示すように、ステップＳ１０１では、制御部２０は、照度センサー２３に照度を検出させて、その検出結果を取得する。続くステップＳ１０２では、制御部２０は、照度センサー２３の検出結果に基づいて、対応テーブルＴａから画質調整モードを選定する。図５に示すように、対応テーブルＴａでは、照度が４つの照度範囲に区分され、それぞれの照度範囲に１つの画質調整モードが対応付けられている。具体的には、第１の照度範囲（４０ルクス未満）には「シアター」、第２の照度範囲（４０ルクス以上、２００ルクス未満）には「リビング」、第３の照度範囲（２００ルクス以上、１０００ルクス未満）には「プレゼンテーション」、第４の照度範囲（１０００ルクス以上）には「ダイナミック」が対応付けられている。そして、制御部２０は、照度センサー２３によって検出された照度の照度範囲に対応する画質調整モードを選定する。
【００４５】
ステップＳ１０３では、制御部２０は、選定した画質調整モードを画質調整部３３に通知し、この画質調整モードに応じた画質調整を開始させる。
【００４６】
続くステップＳ１０４では、制御部２０は、検出された照度の照度範囲（第１〜第４の照度範囲のいずれであるか）を記憶部２１に記憶させてフローを終了する。
【００４７】
これにより、周囲の明るさに応じた画質調整モードが選定され、この画質調整モードに応じた画質調整が画像情報に施される。そして、投写面Ｓには、画質が調整された状態の入力画像Ｇｉが投写される。
【００４８】
また、制御部２０は、これ以降、照度の変化を検出する。そして、照度が変化した際には、この変化に追従して画質調整モードを切り替える。
【００４９】
図６は、照度の変化に追従した画質調整モードの切り替えを説明するためのフローチャートである。制御部２０は、図６に示すフローを所定時間毎に繰り返すことにより、周囲の明るさの変化に応じて画質調整モードを切り替える。
【００５０】
図６に示すように、ステップＳ２０１では、制御部２０は、照度センサー２３に照度を検出させて、その検出結果を取得する。続くステップＳ２０２では、制御部２０は、照度センサー２３の検出結果に基づいて、照度が変化したか否かを判断する。具体的には、制御部２０は、ステップＳ２０１で新たに検出した照度の照度範囲が、記憶部２１に記憶されている照度範囲、即ち前回のモード選定処理（図４参照）で検出された照度の照度範囲と同一であるか否かを判断する。そして、同一の照度範囲である場合には、照度に変化がないものとしてフローを終了する。一方、照度範囲が異なる場合には、照度が変化したものとしてステップＳ２０３に移行し、上述したモード選定処理（図４参照）を再び実行する。そして、新たな照度範囲に対応する画質調整モードを選定し、その後でフローを終了する。以上により、プロジェクター１の周囲の明るさ（照度）が変化した場合には、新たな照度に応じた画質調整モードが選定される。
【００５１】
なお、ステップＳ２０３でモード選定処理を行う際には、ステップＳ２０１で照度の検出が済んでいるため、ステップＳ１０１での検出を省略するようにしてもよい。つまり、ステップＳ２０１で検出された照度に基づいて、ステップＳ１０２で画質調整モードを選定するようにしてもよい。
【００５２】
以上説明したように、本実施形態のプロジェクター１によれば、照度センサー２３が検出した周囲の明るさに基づいて、制御部２０が画質調整モードを選定し、画質調整部３３が、選定された画質調整モードに基づいて画質の調整を行うため、ユーザーが自ら画質調整モードを選択しなくても、周囲の明るさに応じた適切な画質で画像を鑑賞することが可能となる。
【００５３】
なお、本実施形態では、モード選定処理（図４参照）のステップＳ１０２を実行して画質調整モードを選定する際の制御部２０が、モード決定部に相当する。
【００５４】
（第２実施形態）
以下、第２実施形態のプロジェクターについて、図面を参照して説明する。
本実施形態のプロジェクターは、第１実施形態と同一のハードウェア構成を有しているが、ソフトウェア構成の一部が第１実施形態とは異なっている。
【００５５】
図７は、本実施形態のモード設定メニューＧｃを示す説明図であり、図８は、本実施形態の記憶部２１に記憶されている対応テーブルＴａを説明するための説明図である。
図７に示すように、本実施形態では、第１実施形態で示した４つの画質調整モード（「ダイナミック」、「プレゼンテーション」、「リビング」、「シアター」）に、ｓＲＧＢに準拠した表示を行う「ｓＲＧＢ」、及び静止画像の表示に適した「フォト」を加えた６つの画質調整モードと、「オート」の７項目が選択可能になっている。そして、この中から「オート」が選択された場合には、照度センサー２３の検出結果に基づいて、６つの画質調整モードの中から１つが選定される。
【００５６】
図８に示すように、本実施形態の対応テーブルＴａは、第１実施形態と同様に４つの照度範囲に区分されており、第１の照度範囲（４０ルクス未満）には「シアター」、第２の照度範囲（４０ルクス以上、２００ルクス未満）には「リビング」及び「フォト」、第３の照度範囲（２００ルクス以上、１０００ルクス未満）には「プレゼンテーション」及び「ｓＲＧＢ」、第４の照度範囲（１０００ルクス以上）には「ダイナミック」が対応付けられている。このように、第２及び第３の照度範囲には、複数（２つ）の画質調整モードが対応付けられているため、検出された照度の照度範囲が第２又は第３の照度範囲である場合には、２つの画質調整モードの中から１つを選択する処理が必要となる。
【００５７】
図９は、本実施形態のモード選定処理を説明するためのフローチャートである。モード設定メニューＧｃで「オート」が選択された場合には、制御部２０は、図９に示すフローに従って画質調整モードの設定を行う。
【００５８】
図９に示すように、ステップＳ３０１では、制御部２０は、照度センサー２３に照度を検出させて、その検出結果を取得する。続くステップＳ３０２では、制御部２０は、照度センサー２３の検出結果に基づいて、図８に示した対応テーブルＴａから画質調整モードを選定（抽出）する。ただし、上述したように、検出された照度の照度範囲が第１又は第４の照度範囲である場合には、画質調整モードが１つに確定するものの、第２又は第３の照度範囲である場合には、２つの画質調整モードが候補として抽出されることになる。
【００５９】
ステップＳ３０３では、制御部２０は、画質調整モードが１つに確定したか、或いは複数の候補が抽出されたかを判断する。そして、画質調整モードが１つに確定した場合、即ち検出された照度が第１の照度範囲（４０ルクス未満）又は第４の照度範囲（１０００ルクス以上）であって画質調整モードが「シアター」又は「ダイナミック」に確定した場合には、ステップＳ３０８に移行する。一方、検出された照度が第２の照度範囲又は第３の照度範囲であって複数の候補が抽出された場合には、ステップＳ３０４に移行する。
【００６０】
複数の候補が抽出されてステップＳ３０４に移行した場合には、制御部２０は、予めユーザーに設定されている選択方法に従って、複数の候補の中から１つの画質調整モードを選択する。
【００６１】
ユーザーは、メインメニューから呼び出すことが可能な選択方法指定メニューＧｐ（図１０参照）によって選択方法を指定することができる。ユーザーがメニューキーを操作してメインメニューを表示させた後に所定の操作を行うと、制御部２０は、ＯＳＤ処理部３２に指示をして選択方法指定メニューＧｐを入力画像Ｇｉ上に重畳表示させる。選択方法指定メニューＧｐには、上から順に、メニューを表示してユーザーに１つの画質調整モードを選択させる第１の選択方法（「メニューで選択」）と、複数の候補（画質調整モード）のうち最後に使用された候補を選択する第２の選択方法（「最後に使用されたモードを選択」）と、複数の候補のうち使用頻度の高い候補を選択する第３の選択方法（「使用頻度の高いモードを選択」）が列記されており、ユーザーは、入力操作部２２の方向キー及び決定キーを操作することにより、所望の選択方法を指定することができる。そして、制御部２０は、ユーザーによって指定された選択方法を記憶部２１に記憶する。
【００６２】
つまり、ステップＳ３０４では、制御部２０は、記憶部２１に記憶されている選択方法を読み出して、ユーザーによって指定されている選択方法が第１の選択方法であるのか、第２の選択方法であるのか、或いは、第３の選択方法であるのかを判断する。そして、第１の選択方法である場合にはステップＳ３０５に移行し、第２の選択方法である場合にはステップＳ３０６に移行し、第３の選択方法である場合にはステップＳ３０７に移行する。
【００６３】
指定されている選択方法が第１の選択方法であってステップＳ３０５に移行した場合には、制御部２０は、ＯＳＤ処理部３２に指示をして、複数の候補の中から１つを選択するためのメニュー画像（モード選択メニューＧｆ）を重畳表示させる（図１１参照）。モード選択メニューＧｆには、抽出された複数の候補（画質調整モード）が列記されており、ユーザーは、入力操作部２２の方向キーを操作することにより、所望の画質調整モードを選択することができる。そして、選択後に決定キーを操作すると、画質調整モードが確定し、ステップＳ３０８に移行する。
【００６４】
一方、指定されている選択方法が第２の選択方法であってステップＳ３０６に移行した場合には、制御部２０は、複数の候補のうち最後に使用された候補を選択して、ステップＳ３０８に移行する。また、指定されている選択方法が第３の選択方法であってステップＳ３０７に移行した場合には、制御部２０は、複数の候補のうち使用頻度の高い候補を選択して、ステップＳ３０８に移行する。なお、後述するステップＳ３０９で説明するように、記憶部２１には、最終的に確定した画質調整モードの履歴に基づく履歴情報Ｔｈ（図１２参照）が記憶されており、制御部２０は、最後に使用された候補や使用頻度の高い候補を、この履歴情報Ｔｈに基づいて判断し、画質調整モードを確定させる。
【００６５】
画質調整モードが確定してステップＳ３０８に移行すると、制御部２０は、確定した画質調整モードを画質調整部３３に通知し、この画質調整モードに応じた画質調整を開始させる。
【００６６】
続くステップＳ３０９では、制御部２０は、確定した画質調整モードに基づいて、記憶部２１に記憶されている履歴情報Ｔｈを更新し、フローを終了する。
【００６７】
図１２は、履歴情報Ｔｈを説明するための説明図である。
図１２に示すように、履歴情報Ｔｈには、ステップＳ３０１で検出された照度の照度範囲に加えて、各画質調整モードの使用頻度（これまでに設定された累積回数）と、第２の照度範囲に対応する２つの画質調整モード（「リビング」及び「フォト」）のうち最後に使用された画質調整モードと、第３の照度範囲に対応する２つの画質調整モード（「プレゼンテーション」及び「ｓＲＧＢ」）のうち最後に使用された画質調整モード等の情報が含まれており、ステップＳ３０９では、制御部２０は、ステップＳ３０２、或いはステップＳ３０５，Ｓ３０６，Ｓ３０７で確定した画質調整モードに基づいてこれらの情報を更新する。
【００６８】
具体的には、制御部２０は、ステップＳ３０１で検出された照度の照度範囲を記憶するとともに、確定した画質調整モードの使用頻度をインクリメントする。そして、確定した画質調整モードが「リビング」、「フォト」、「プレゼンテーション」、及び「ｓＲＧＢ」のいずれかである場合には、最後に使用された画質調整モードに関しても情報を更新する。なお、モード設定メニューＧｃで「オート」以外の画質調整モードが選択された場合にも、制御部２０は、ユーザーの選択結果に基づいて、履歴情報Ｔｈ内の使用頻度を更新する。
【００６９】
以上のように、モード設定メニューＧｃで「オート」が選択されると、制御部２０は、周囲の明るさに応じて画質調整モードを選定する。そして、これ以降、第１実施形態と同様に、図６に示したフローを所定時間毎に実行し、照度の変化に追従して画質調整モードを切り替える。即ち、ステップＳ２０１では、制御部２０は、照度センサー２３に照度を検出させて、その検出結果を取得する。続くステップＳ２０２では、制御部２０は、照度が変化したか否かを判断する。具体的には、制御部２０は、ステップＳ２０１で新たに検出した照度の照度範囲が、記憶部２１に記憶されている履歴情報Ｔｈに含まれる照度範囲、即ち前回のモード選定処理（図９参照）で検出された照度の照度範囲と同一であるか否かを判断する。そして、同一の照度範囲である場合には、照度に変化がないものとしてフローを終了する。一方、照度範囲が異なる場合には、照度が変化したものとしてステップＳ２０３に移行し、上述したモード選定処理（図９参照）を再び実行する。そして、新たな照度範囲に対応する画質調整モードを選定し、その後でフローを終了する。なお、ステップＳ２０３でモード選定処理を行う際には、ステップＳ２０１で照度の検出が済んでいるため、ステップＳ３０１での検出を省略するようにしてもよい。
【００７０】
以上説明したように、本実施形態のプロジェクター１によれば、第１の実施形態の効果に加えて、以下の効果を得ることができる。
【００７１】
本実施形態のプロジェクター１によれば、抽出された複数の画質調整モードから１つを選択する方法を指定できるようになっているため、ユーザーの好みに応じた方法で画質調整モードを選定することが可能となる。ここで、第１の選択方法が指定された場合には、複数の画質調整モードの中から所望の画質調整モードをメニューで選択させる構成であるため、望まない画質調整モードが選定されてしまうことがなくなる。また、第２の選択方法が指定された場合には、複数の画質調整モードのうち、最後に使用された画質調整モードを選定するため、ユーザーが自ら選択することなく、最近の使用状況を加味した選定を行うことが可能となる。また、第３の選択方法が指定された場合には、複数の画質調整モードのうち、使用頻度の高い画質調整モードを選定するため、ユーザーが自ら選択することなく、ユーザーの好みを加味した選定を行うことが可能となる。
【００７２】
なお、本実施形態では、モード選定処理（図９参照）のステップＳ３０２〜Ｓ３０７を実行して画質調整モードを選定する際の制御部２０が、モード決定部に相当する。また、選択方法指定メニューＧｐ（図１０参照）を表示して、所望の選択方法をユーザーに指定させる際の制御部２０、ＯＳＤ処理部３２、及び入力操作部２２が、選択方法設定部に相当する。
【００７３】
（第３実施形態）
以下、第３実施形態のプロジェクターについて、図面を参照して説明する。
図１３は、本実施形態のプロジェクターを示す斜視図であり、図１４は、本実施形態のプロジェクターの概略構成を示すブロック図である。
【００７４】
図１３及び図１４に示すように、本実施形態のプロジェクター１は、光検出部としての２つの照度センサー２３，２４を備えている。このうち、照度センサー２３は、プロジェクター１の前方（投写方向）以外の方向の明るさ（照度）を検出するものであり、本実施形態では、第１及び第２実施形態の照度センサー２３と同様、筐体２の上面２ｔに配置されて、プロジェクター１の上方の照度を検出する。一方、照度センサー２４は、プロジェクター１の前方（投写方向）の明るさ（照度）を検出するものであり、筐体２の前面２ｆに配置されている。２つの照度センサー２３，２４は、制御部２０の指示に基づいて照度を検出し、検出結果を制御部２０に出力する。上記以外のハードウェア構成は、第１及び第２実施形態と同一である。
【００７５】
図１５は、本実施形態の記憶部２１に記憶されている対応テーブルＴａを説明するための説明図である。
図１５に示すように、本実施形態の対応テーブルＴａは、照度センサー２３で検出された照度の照度範囲（「照度範囲１」）と、照度センサー２４で検出された照度の照度範囲（「照度範囲２」）の双方に基づいて画質調整モードが選定されるようになっている。この対応テーブルＴａにおいて、２つの照度センサー２３，２４の検出結果（照度）は、それぞれ４つの照度範囲に区分されており、全部で１６のブロック（事象）に分けられている。そして、各ブロックには、「ダイナミック」、「プレゼンテーション」、「リビング」、「シアター」、「ｓＲＧＢ」、及び「フォト」の６つの画質調整モードの中の１つ或いは複数の画質調整モードが対応付けられている。具体的には、各ブロックは、「シアター」のみに対応付けられたブロック、「ダイナミック」のみに対応付けられたブロック、「リビング」及び「フォト」の２つの画質調整モードに対応付けられたブロック、「プレゼンテーション」及び「ｓＲＧＢ」の２つの画質調整モードに対応付けられたブロックのうちのいずれかに該当する。
【００７６】
本実施形態において、モード設定メニューＧｃ（図７参照）で「オート」が選択されると、制御部２０は、図９に示したモード選定処理を実行して画質調整モードを選定するとともに、それ以降は、図６に示したフローを所定時間毎に繰り返すことにより、照度の変化に応じた画質調整モードの切り替えを実行する。
【００７７】
ここで、本実施形態では、ステップＳ３０１（図９参照）で照度を検出する際には、２つの照度センサー２３，２４の双方で照度を検出する。ただし、照度センサー２４は、投写方向の照度を検出するものであり、投写される光（画像）の明暗の影響を直接受けてしまうことから、照度センサー２４で照度を検出する際には、瞬間的に画像投写部１０からの画像の投写を停止した状態（厳密には、黒色の画像を投写する状態）とし、その間に照度の検出を行う。そして、ステップＳ３０２では、照度センサー２３，２４の双方で検出された照度範囲に基づいて、対応テーブルＴａから画質調整モードを選定する。
【００７８】
一方、ステップＳ２０２（図６参照）で照度の変化を検出する際には、照度センサー２３の検出結果（投写方向以外の方向の照度）のみに基づいて判断する。このため、ステップＳ２０１では、投写方向の照度を検出する必要はなく、ステップＳ３０９（図９参照）で更新する履歴情報Ｔｈにも、投写方向の照度の照度範囲を含める必要はない。
それ以外のステップについては、第２実施形態と同様である。
【００７９】
以上説明したように、本実施形態のプロジェクター１によれば、投写面の方向の明るさと、投写面以外の方向の明るさとを２つの照度センサー２３，２４によって検出し、その双方の明るさに基づいて画質調整モードを選定するため、より周囲の状況に適した画質で画像を鑑賞することが可能となる。
【００８０】
なお、本実施形態において、プロジェクター１の投写方向以外の方向の明るさを検出する照度センサー２３は、第１の光検出部に相当し、投写方向の明るさを検出する照度センサー２４は、第２の光検出部に相当する。
【００８１】
（第４実施形態）
以下、第４実施形態のプロジェクターについて、図面を参照して説明する。
図１６は、本実施形態のプロジェクターの概略構成を示すブロック図である。
【００８２】
図１６に示すように、本実施形態のプロジェクター１は、投写方向以外の方向（例えば、上方）の明るさ（照度）を検出する光検出部としての照度センサー２３と、プロジェクター１の前方（投写方向）を撮像可能なイメージセンサー２５とを備えている。イメージセンサー２５は、図示しないＣＣＤ（Charge Coupled Device）センサーやＣＭＯＳ（Complementary Metal Oxide Semiconductor）センサー等の撮像素子で構成され、撮像結果に基づいて投写面Ｓの色を検出し、検出結果を制御部２０に出力する。また、イメージセンサー２５は、照度センサー（光検出部）としても機能し、プロジェクター１の前方の明るさ（照度）を検出することができる。
上記以外のハードウェア構成は、第３実施形態と同一である。
【００８３】
図１７は、本実施形態のモード設定メニューＧｃを示す説明図であり、図１８は、本実施形態の記憶部２１に記憶されている対応テーブルＴａを説明するための説明図である。
図１７に示すように、本実施形態では、第２及び第３実施形態で示した６つの画質調整モード（「ダイナミック」、「プレゼンテーション」、「ｓＲＧＢ」、「リビング」、「フォト」、「シアター」）に、黒板に投写した場合に自然な色合いとなる「黒板」を加えた７つの画質調整モードと「オート」が選択可能になっている。
【００８４】
図１８に示すように、本実施形態の対応テーブルＴａは、照度センサー２３で検出された照度の照度範囲（「照度範囲１」）と、イメージセンサー２５で検出された照度の照度範囲（「照度範囲２」）と、イメージセンサー２５で撮像された投写面Ｓの色に基づいて画質調整モードが選定されるようになっている。照度センサー２３及びイメージセンサー２５によって検出される照度は、それぞれ４つの照度範囲に区分されており、投写面Ｓの色は、白色系か黒色系かに二分されている。つまり、全部で３２のブロック（事象）に分けられており、各ブロックには、７つの画質調整モードの中の１つ或いは複数の画質調整モードが対応付けられている。
【００８５】
本実施形態において、モード設定メニューＧｃ（図１７参照）で「オート」が選択されると、制御部２０は、図９に示したモード選定処理を実行して画質調整モードを設定するとともに、それ以降は、図６に示したフローを所定時間毎に繰り返すことにより、照度の変化に応じた画質調整モードの切り替えを実行する。
【００８６】
ここで、本実施形態では、ステップＳ３０１（図９参照）で照度を検出する際には、照度センサー２３とイメージセンサー２５の双方で照度を検出するとともに、イメージセンサー２５で投写面Ｓの色を判別する。ただし、イメージセンサー２５は、投写方向の照度や色を検出するものであり、投写される光（画像）の明暗の影響を直接受けてしまうことから、イメージセンサー２５で照度の検出及び投写面Ｓの色の判別を行う際には、瞬間的に画像投写部１０からの画像の投写を停止した状態（厳密には、黒色の画像を投写する状態）とし、その間に照度及び色を検出する。そして、ステップＳ３０２では、照度センサー２３と、イメージセンサー２５の双方で検出された照度範囲、及び投写面Ｓの色に基づいて、対応テーブルＴａから画質調整モードを選定する。
【００８７】
一方、ステップＳ２０２（図６参照）で照度の変化を検出する際には、照度センサー２３の検出結果（投写方向以外の方向の照度）のみに基づいて判断する。このため、ステップＳ２０１では、投写方向の照度を検出する必要はなく、ステップＳ３０９（図９参照）で更新する履歴情報Ｔｈにも、投写方向の照度の照度範囲を含める必要はない。なお、本実施形態では、画質調整モードに「黒板」が含まれているため、図１９に示すように、本実施形態の履歴情報Ｔｈには、「黒板」の使用頻度が含まれている。また、本実施形態では、ステップＳ３０６（図９参照）において「黒板」を含む複数の候補のうち最後に使用された画質調整モードを選択する場合があるため、履歴情報Ｔｈには、それを選択する際に参照される情報が含まれている。
それ以外のステップについては、第２実施形態と同様である。
【００８８】
以上説明したように、本実施形態のプロジェクター１によれば、周囲の明るさに加えて、投写面Ｓの色に基づいて画質調整モードを選定するため、投写面Ｓの色に応じた適切な画質で画像を鑑賞することが可能となる。
【００８９】
なお、本実施形態において、投写方向以外の方向の明るさを検出する照度センサー２３は、第１の光検出部に相当する。また、投写方向の明るさを検出するイメージセンサー２５は、第２の光検出部に相当するとともに、色検出部にも相当する。
【００９０】
また、本実施形態では、イメージセンサー２５が、投写方向の明るさと投写面Ｓの色の双方を検出する構成になっているが、イメージセンサー２５は、投写面Ｓの色のみを検出するようにしてもよい。つまり、照度センサー２３が検出する周囲の明るさと、イメージセンサー２５が検出する投写面Ｓの色に基づいて、画質調整モードを選定するようにしてもよい。
【００９１】
（変形例）
なお、上記実施形態は、以下のように変更してもよい。
【００９２】
上記実施形態では、光変調装置として３つの液晶ライトバルブ１２Ｒ，１２Ｇ，１２Ｂを用いた３板式のプロジェクターについて説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００９３】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出される光を変調する微小ミラーアレイデバイス等を用いることもできる。
【００９４】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【符号の説明】
【００９５】
１…プロジェクター、２…筐体、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…記憶部、２２…入力操作部、２３，２４…照度センサー、２５…イメージセンサー、３０…画像情報入力部、３０ａ…接続端子、３１…スケーラー、３２…ＯＳＤ処理部、３３…画質調整部、１００…画像出力装置、Ｇｉ…入力画像、Ｇｃ…モード設定メニュー、Ｇｆ…モード選択メニュー、Ｇｐ…選択方法指定メニュー、Ｓ…投写面、Ｔａ…対応テーブル、Ｔｈ…履歴情報。
【図１】
2010243870.tif 000003
【図２】
2010243870.tif 000004
【図３】
2010243870.tif 000005
【図４】
2010243870.tif 000006
【図５】
2010243870.tif 000007
【図６】
2010243870.tif 000008
【図７】
2010243870.tif 000009
【図８】
2010243870.tif 000010
【図９】
2010243870.tif 000011
【図１０】
2010243870.tif 000012
【図１１】
2010243870.tif 000013
【図１２】
2010243870.tif 000014
【図１３】
2010243870.tif 000015
【図１４】
2010243870.tif 000016
【図１５】
2010243870.tif 000017
【図１６】
2010243870.tif 000018
【図１７】
2010243870.tif 000019
【図１８】
2010243870.tif 000020
【図１９】
2010243870.tif 000021